(57)【特許請求の範囲】
【請求項１】
複数箇所にメダル流入口（１０ｂ）を有し、上方から下方に向けた表面に沿ってメダルが落下するよう配されるピンパネル（１０）と、
ピンパネル（１０）の前面に、ピンパネル（１０）と所定の間隙を介して設けられる透明なピンパネルカバー（１０a）と、
ピンパネル（１０）とピンパネルカバー（10a）の間の間隙を通過するメダル（4）のうち、ピンパネル（１０）のメダル流入口（１０ｂ）に対応する位置を通過するメダルを常時ピンパネル（１０）の裏面側に案内する入賞ポケット（１４、１６）と、
を具備するメダルゲーム機において、
ピンパネルカバー（１０a）が、ピンパネル（１０）のメダル流入口（１０ｂ）に対応する位置に貫通孔（１０ａ'）を有し、
入賞ポケット（１４、１６）が、流入口（１０ｂ）を覆うようピンパネルカバー（１０a）に取り付けられるポケットプレート（１４ｂ）と、ポケットプレート（１４ｂ）の裏面側に設けられ、その先端がピンパネル（１０）の裏面まで突出してメダルを案内するメダルガイドスローブ（１４ａ）と、から構成されたことを特徴とする上記のメダルゲーム機。
【発明の詳細な説明】
【０００１】
【発明の属する技術分野】
本発明は、ピンパネル上にメダルを供給してプレイするメダルゲーム機に関する。
【０００２】
【従来の技術】
従来、ピンパネルを具備するメダルゲーム機には、ピンパネル表面にゲート状のチェッカーが設けられており、落下してきたメダルがそのチェッカーを通過したときに入賞となるものである。しかしながら、プレイ中はピンパネル上には次々とメダルが供給され続けるため、そのうちの一枚のメダルがチェッカーを通過したか否かを確認することは困難であり、直観的に入賞を知ることができないという問題があった。
【０００３】
また、一部のメダルゲーム機には、開閉する蓋付きの入賞口を有し、抽選結果などにより所定の条件が揃ったときにその蓋が開いてピンパネルの裏面側に案内し得るようにするものもある。
このような入賞口は、入賞したか否かを確認することは容易であるが、開閉機構を備えているため、メダル詰まりや故障を起こし易い上、開閉機構自体が嵩張り、一枚のピンパネル上に複数の開閉扉付き入賞口を設けることはできなかった。
【０００４】
【発明が解決しようとする課題】
本発明は上記の問題を解決するためなされたものであり、その目的とするところは、入賞したことを直観的に確認することができるようにすると共に、このような入賞口を複数設けることができるようにすることにある。
【０００５】
【課題を解決するための手段】
上記の目的は、
上方から下方に向けて表面に沿ってメダルが落下するよう配されるピンパネルと、
ピンパネルの前面に、ピンパネルと所定の間隙を介して設けられる透明なピンパネルカバーと、
ピンパネルとピンパネルカバーとの間の間隙を通過するメダルのうち、ピンパネル表面の所定領域を通過するメダルを常時ピンパネルの裏面側に案内し得る入賞ポケットと、
を具備するメダルゲーム機において；
上記入賞ポケットが、
上記ピンパネルカバーに明けられた貫通孔と、
当該貫通孔に対応する箇所において上記ピンパネルに明けられたメダル流入口と、
上記ピンパネルカバーの前面に上記貫通孔を塞ぐよう取り付けられ、裏面側には上記貫通孔を通じてメダル流入口に達するメダルガイドスロープが突出して形成されたポケットプレートと、
から構成されたことを特徴とする上記のメダルゲーム機によって達成される。
【０００６】
【発明の実施の形態】
以下、図面により本発明の詳細を説明する。
図１は本発明に係るメダルゲーム機の正面図、図２は図１に示したコントロールパネル部の上面図、図３は図１に示したメダルゲーム機におけるメダルの流れを示す説明図、図４は図１に示したピンパネルのスタートポケットが設けられる領域を示す部分拡大図、図５は図１に示したスタートポケットの裏面を示す斜視図、図６は図１に示したスタートポケットの取付状態を示す縦断面説明図である。
まず、図１について説明する。
図中、１はゲームフィールド部、２はコントロールパネル部である。
ゲームフィールド部１は、ピンパネル１０と、抽選機の液晶モニター１１と、風車１２と、オープンチェッカー１３と、スタートポケット１４と、ラッキーポケット１５と、ウインポケット１６とから成る。
【０００７】
ピンパネル１０は、このメダルゲーム機のゲームフィールドを形成するものであり、図１では省略してあるが、この表面側には、図３及び図５に示した通り、ピンパネル１０と所定間隙を介して対面して設けられる透明なピンパネルカバー１０ａが設けられており、ピンパネル１０の上方から供給されるメダルはこの間隙を落下するものである。
液晶モニター１１は、図示されていない抽選回路によって制御される３リールスロットや、ストーリー映像が表示される表示器であり、ピンパネル１０の上段中央に設けられる。
風車１２は、液晶モニター１１の左右上方に１個ずつ設けられるものであり、落下してくるメダルの軌跡を変化させるものである。
オープンチェッカー１３は、液晶モニター１１の左右に１個ずつ設けられるものであり、内部をメダルが通過し得るようになっている。
【０００８】
スタートポケット１４は、ピンパネルカバー１０ａに取り付けられるものであって、ピンパネル１０の中段中央に設けられる図４に示したような矩形状のメダル流入口１０ｂを覆うよう設けられる。
なお、図４及び図６においては、後述する傾動羽根は省略してある。
メダル流入口１０ｂの上縁には、メダルの流入を検知するためのセンサ１０ｃが設けられている。
【０００９】
スタートポケット１４を構成するポケットプレート１４ｂの裏面側には、図５に示したように、取り付けたときにその先端がピンパネルの裏面側に突出するメダルガイドスロープ１４ａが設けられており、ピンパネルカバー１０ａのスタートポケット１４が取り付けられる位置には、このメダルガイドスロープ１４ａを貫通させるための貫通孔１０ａ′が設けられている。
ポケットプレート１４ｂは、図６に示したように、そのメダルガイドスロープ１４ａがメダルをピンパネル１０の裏面側に案内し得るようピンパネルカバー１０ａに取り付けられる。
【００１０】
このため、ピンパネル１０とピンパネルカバー１０ａの間をスタートポケット１４に向かって落下してきたメダル４は、メダルガイドスロープ１４ａによってメダル流入口１０ｂに導かれ、ピンパネル１０の裏面側を落下する。
また、メダル４がメダル流入口１０ｂを通過するとき、センサ１０ｃがメダル４を検知する。
このスタートポケット１４は、左右に、図１に示したように、常時はそれぞれの自由端側が下方に傾斜し、オープンチェッカー１３をメダルが通過した後所定時間が経過するまではそれぞれの自由端側が上方に傾斜する傾動羽根を具備しており、そのメダルの通過確率を変更し得るようになっている。
【００１１】
このスタートポケット１４にメダル４が落下したことを検知したときには、図示しない抽選機によってスロットリールによる抽選が始まり、この抽選の様子及び結果が、液晶モニター１１に表示される。
ラッキーポケット１５は常時は閉じている開閉式の蓋を具備するものであり、所定の抽選結果がでたときに蓋が開いてメダルを受け入れ、ピンパネル１０の裏側に案内するものである。
【００１２】
ウインポケット１６は、ラッキーポケット１５の左右上方に設けられるものであって、その構成は、傾動羽根を有しないという点以外はスタートポケット１４と同様であるのでその詳細な説明は省略する。
このウインポケット１６に落下したメダルは、ピンパネル１０の裏面側に案内されるようになっている。
なお、このメダルゲーム機においては、メダルがチェッカー及びポケットに入ったときには、プレイヤは所定枚数のメダルを獲得するようになっている。
【００１３】
次に、図２について説明する。
コントロールパネル部２はゲームフィールド部１の下方の張出部分に設けられ、メダル投入口２０と、クレジットカウンター２１と、メダル射出グリップ２２と、大当たりカンウター２３と、スロットカンウター２４と、ペイアウトスイッチ２５と、メダル受け２６とを具備する。
メダル投入口２０は、張出部分の上面右側に設けられる。
クレジットカウンター２１は、メダル投入口２０の左側に設けられ、射出可能なメダルの枚数を表示するものであり、その表示は、メダルの投入、ゲームの進行及び射出枚数に応じて増減する。
【００１４】
メダル射出グリップ２２は略円盤状のものであり、コントロールパネル部２が設けられる張出部分の前面右寄りに設けられるものである。
このメダル射出グリップ２２は、所定角度範囲内を左右に回転し得るよう設けられていると共に、弾性体によって左回転するよう付勢され、常時は左方に回ってメダル射出停止位置に保持されている。
このメダル射出グリップ２２を握って右に捻ると、クレジットカウンター２１に表示されている枚数を限度として、ピンパネル１０の左上に設けられる後述のメダル射出装置３６からピンパネル１０上に連続的にメダルが射出されるものである。
【００１５】
また、射出されるメダルの射出強度は、メダル射出グリップ２２の捻り具合で調節でき、メダルは、このメダル射出グリップ２２を大きく捻れば強く、反対に小さく捻れば弱く射出されるようになっているので、所望の領域にメダルを落下させることができる。
また、このメダル射出グリップ２２には、ウエイトスイッチ２２０が設けられており、メダル射出グリップ２２を捻っているときでも、このウエイトスイッチ２２０を押せばメダルの射出を停止させることができる。
【００１６】
大当たりカウンター２３は、クレジットカウンター２１の左側に設けられ、このメダルゲーム機１の電源のオンオフではリセットされることがなく、リセット操作後の大当たりの回数を表示する。
スロットカウンター２４は、大当たりカウンター２３の左側に設けられ、入賞の発生毎にリセットされ、このメダルゲーム機１のリセット操作後の抽選機の作動回数を表示する。電源のオンオフではこのカウンターはリセットされない。
ペイアウトスイッチ２５は、スロットカウンター２４の左側に設けられ、このスイッチを押すと、クレジットカンウター２１に表示されている枚数のメダルを払い戻すことができる。
メダル受け２６は、コントロールパネル部２が設けられる張出部分の前面中央に設けられ、払い出されたメダルを溜めるものである。
【００１７】
次に、図３に基づいて、上記のメダルゲーム機のメダルの流れについて説明する。
図中、３０はリジェクター、３１はホッパー、３２はメダルボックス、３３はガイドレール、３４は切換装置、３５はメダルレール、３６はメダル射出装置、３７はメダル回収路、３８はペイアウトダクト、４はメダルである。
リジェクター３０は、コントロールパネル部２のメダル投入口２０の裏側に設けられるものであり、投入されたメダル４は、その下方に設けられるホッパー３１に落下する。
【００１８】
ホッパー３１の下部には、メダルボックス３２が設けられており、このメダルボックス３２では、ホッパー３１が一杯になってメダル４を貯留しきれなくなったときに、溢れた分のメダル４が貯留される。
ガイドレール３３は、ホッパー３１からメダルゲーム機内の図３中右側を上方に向かって延びるものであり、ホッパー３１内のメダル４は、図示しない送出装置によって、このガイドレール３３に沿ってゲーム進行に応じた所定のタイミングで順次上方に送られる。
【００１９】
切換装置３４はガイドレール３３の上端に設けられ、ガイドレール３３と、メダルレール３５又はペイアウトダクト３８とを切り換え接続するものであり、常時はガイドレール３３をメダルレール３５と接続しているが、ペイアウトスイッチ２５が押された後、所定枚数のメダルの払い出しが終了するまではペイアウトダクト３８と接続するものである。
メダルレール３５は、切換装置３４からその先端が若干下がるよう傾斜して設けられ、切換装置３４から送出されたメダル４がその先端に向けて転がり、蓄積されるようになっており、後述のメダル射出装置３６によってメダルレール３５内のメダル４が射出されたときは、その射出数と同数のメダルがガイドレール３３及び切換装置３４を通ってホッパー３１から補充されるようになっている。
【００２０】
メダル射出装置３６は、メダルレール３５の先端であって、ピンパネル１０の図中左上に配されるものであり、その内部にメダルレール３５に沿って転がってくるメダル４が一枚ずつ順次装填され、その装填されたメダル４をメダル射出グリップ２２の操作に応じて所定の強さでピンパネル１０上に射出するものである。メダル回収路３７は、ピンパネル１０の下方からホッパー３１に向けて設けられるものであり、ピンパネル１０上に射出され、その表面及び裏面に沿って落下してくるメダル４をホッパー３１に回収するものである。ペイアウトダクト３８は、一方の端部が切換装置３４に接続され、他方の端部がメダル受け２６に接続されるものである。このペイアウトダクト３８には、ペイアウトスイッチ２５が押されたときに所定枚数のメダルがホッパー３１から送出される。
【００２１】
上記のメダルゲーム機においては、スタートポケット１４及びウインポケット１６に落下したメダルは、ピンパネル１０の裏面側に案内され、プレイヤの視界から消えるため、入賞を直観的に確認することができ、さらに、これらのポケットは極めて単純な構成であるので、嵩張ることがなく、一枚のピンパネル１０上に複数設けることができ、メダル詰まりや故障が起こることもない。
なお、本発明は上記の実施例に限定されるものではなく、例えば、各ポケットの形状、配置、数等は本発明の目的の範囲内で自由に設計変更できるものであり、本発明は上記の説明から当業者が容易に想到し得る総ての変更実施例を包摂するものである。
【００２２】
【発明の効果】
本発明に係るメダルゲーム機は上記の如く構成されるので、本発明によるときは、プレイヤがゲームの進行状況を把握し易く、また、入賞口の数を増やすこともでき、コストも低くて済む。
【図面の簡単な説明】
【図１】本発明に係るメダルゲーム機の正面図である。
【図２】図１に示したコントロールパネル部の上面図である。
【図３】図１に示したメダルゲーム機におけるメダルの流れを示す説明図である。
【図４】図１に示したピンパネルのスタートポケットが設けられる領域を示す部分拡大図である。
【図５】図１に示したスタートポケットの裏面を示す斜視図である。
【図６】図１に示したスタートポケットの取付状態を示す縦断面説明図である。
【符号の説明】
１・・・・・ゲームフィールド部
１０・・・・ピンパネル
１０ａ・・・ピンパネルカバー
１０ａ′・・貫通孔
１０ｂ・・・メダル流入口
１０ｃ・・・センサ
１１・・・・液晶モニター
１２・・・・風車
１３・・・・オープンチェッカー
１４・・・・スタートポケット
１４ａ・・・メダルガイドスロープ
１４ｂ・・・ポケットプレート
１５・・・・ラッキーポケット
１６・・・・ウインポケット
２・・・・・コントロールパネル部
２０・・・・メダル投入口
２１・・・・クレジットカウンター
２２・・・・メダル射出グリップ
２２０・・・ウエイトスイッチ
２３・・・・大当たりカウンター
２４・・・・スロットカウンター
２５・・・・ペイアウトスイッチ
２６・・・・メダル受け
３０・・・・リジェクター
３１・・・・ホッパー
３２・・・・メダルボックス
３３・・・・ガイドレール
３４・・・・切換装置
３５・・・・メダルレール
３６・・・・メダル射出装置
３７・・・・メダル回収路
３８・・・・ペイアウトダクト
４・・・・・メダル
【図１】
0003788666.tif 000002
【図２】
0003788666.tif 000003
【図３】
0003788666.tif 000004
【図４】
0003788666.tif 000005
【図５】
0003788666.tif 000006
【図６】
0003788666.tif 000007